(57)【要約】【課題】テレビコンセントにおいて、入力端子に同軸ケーブルを接続する作業を支障なく容易に行うことができるようにし、作業性を向上させる。【解決手段】筐体１０の前面には、第１のテレビ端子２ａ及び第２のテレビ端子２ｂが設けられ、背面側には、同軸ケーブルと接続される入力端子２ｃが設けられている。第２のテレビ端子２ｂの近傍には操作孔３ａ，３ｂが設けられ、それぞれ第１の切り替えスイッチ４ａ及び第２の切り替えスイッチ４ｂが配置されている。筐体１０の第１のテレビ端子２ａと操作孔３ａ，３ｂとの間の部位は、幅方向の寸法が狭くなるように成形されており、その部位の左右両側は空間１１となっている。筐体１０の、空間１１の下方に面する部位は、筐体１０の側面に向かって下方に傾斜する形状のテーパ部１２となっている。入力端子２ｃの周囲は広い空間が確保された状態となり、作業を容易に行うことが可能となる。【選択図】図１
2007012472.tif 000002
【特許請求の範囲】
【請求項１】
筐体前面から露出されるように設けられた第１のテレビ端子及び第２のテレビ端子と、
筐体外部に露出するように筐体の背面側に配され、同軸ケーブルと接続される入力端子とが筐体に形成され、
筐体内部に収納され、前記入力端子に接続されて前記同軸ケーブルを経由して送られる信号を２分配する２分配回路を有する２分配回路基板と、
前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、
前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備えたテレビコンセントにおいて、
前記第１の切り替えスイッチ及び第２の切り替えスイッチは、共に前記第１のテレビ端子又は第２のテレビ端子のいずれか一方の近傍に配置されており、
前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形されたテレビコンセントにおいて、
前記入力端子は、前記筐体の幅方向の寸法が狭くなるように成形されることにより生じた空間の近傍に配されており、
前記筐体の端部のうち、前記入力端子が配された部位近傍の空間に露出する部分を切り落として形成したことを特徴とするテレビコンセント。
【請求項２】
筐体の前記切り落として空いた部分を、平面状板で塞いだことを特徴とする請求項１記載のテレビコンセント。
【請求項３】
前記切り落として形成した筐体の端部を、Ｒ面に面取りしたことを特徴とする請求項１または２記載のテレビコンセント。
【発明の詳細な説明】
【技術分野】
【０００１】
本発明は、双方向ＣＡＴＶ用配線系等の信号伝送システムの末端において、そのシステムと、テレビ受像機やチューナ等の受信機器又はケーブルモデム等の情報端末とを接続するテレビコンセントに関するものである。
【０００２】
一般に、双方向ＣＡＴＶの信号伝送システムにおいては、ＣＡＴＶ局から加入者に向けての下り方向に対応する信号とその反対方向の上り方向に対応する信号とを周波数帯域で分けることにより、一本の同軸ケーブルで双方向通信が行われている。この上り方向の信号に加入者側からノイズ等が混入すると、通信の性能が低下するなどの影響を生じる。このため、下り方向のみの片方向通信のみを行うときには、信号伝送システムの末端となる端子を備えたテレビコンセントとして、上り方向に対応する周波数帯域の信号をカットするフィルタを備えたものが用いられている。
【０００３】
このようなテレビコンセントの中には、フィルタを適用するかどうかをスイッチにより選択して、双方向通信を行うか片方向通信を行うかを選択可能としたものがある。また、双方向／片方向を選択可能なテレビコンセントとしては、例えば特許文献１に示されるように、２つのテレビ端子を有し、これらのテレビ端子についてそれぞれ双方向通信用か片方向通信用かを切り替える２つの切り替えスイッチを有するものがある。
【０００４】
図４（ａ）、（ｂ）、（ｃ）は、上述の特許文献１に記載されたテレビコンセントの一例を示す。このテレビコンセント８１の筐体８１０の前面の上部及び下部には、それぞれ第１のテレビ端子８２ａ及び第２のテレビ端子８２ｂが設けられている。また、背面側には、入力端子８２ｃが筐体８１０の外部に下向きに露出するように設けられている。筐体８１０の前面の、第２のテレビ端子８２ｂの近傍には、筐体８１０に設けられている操作孔８３を通して外部から操作可能となるように、２つの切り替えスイッチ（以下、スイッチと称する）８４が設けられている。これらの２つのスイッチ８４は、図４（ａ）に示すように、互いに略水平に並んで設けられている。
【０００５】
図５は、フィルタ回路基板８６を示す。フィルタ回路基板８６は、筐体８１０の内部に配され、入力端子８２ｃと第１のテレビ端子８２ａ及び第２のテレビ端子８２ｂとの間に接続されるフィルタ８８を搭載している。スイッチ８４は、このフィルタ８８を適用するかどうかを切り替えることによって双方向通信と片方向通信とを切り替える。
【０００６】
このテレビコンセント８１は、図６（ａ）、（ｂ）に示すように、筐体８１０の前面がカバー８２０により覆われて、室内等にカバー８２０と第１のテレビ端子８２ａ及び第２のテレビ端子８２ｂとが露出するように、壁面８９０に配置されて用いられる。スイッチ８４は、カバー８２０により覆われており、ユーザ等が誤ってスイッチ８４を操作してしまうことを防止している。テレビコンセント８１の後方には、アウトレットボックス８８０が設けられている。このアウトレットボックス８８０内には、壁面８９０の背面側から同軸ケーブル８６０が配されている。テレビコンセント８１は、通信事業者側の作業者による螺結作業等によって同軸ケーブル８６０の端部の端子８６１が入力端子８２ｃに接続された状態で、壁面８９０に配される。
【０００７】
ところで、このテレビコンセント８１の筐体８１０の第１のテレビ端子８２ａと操作孔８３との間の部位は、幅方向の寸法が狭くなるように成形されている。入力端子８２ｃは、図４（ａ）に示すように、この筐体８１０の幅方向の寸法が狭くなることにより発生した空間８１１の後方に設けられている。このテレビコンセント８１は、筐体８１０に幅方向が狭い部位が設けられていないときと比べて入力端子８２ｃの周囲に広い空間が確保され、通信事業者側の作業者が、入力端子８２ｃに同軸ケーブル８６０の端子８６１を接続する作業を行いやすくなるように構成されている。
【０００８】
しかしながら、上述の、特許文献１に記載されているようなテレビコンセント８１において、筐体８１０の幅方向が狭い部位より下側の部位は直方体形状となっている。上述のように入力端子８２ｃに同軸ケーブル８６０を接続する際、この筐体８１０の直方体形状の端部と作業者又は工具等とが干渉し、同軸ケーブル８６０を接続する作業を容易に行うことができず、作業性が良くないという問題があった。
【特許文献１】特開２００２−１７１１８０号公報
【発明の開示】
【発明が解決しようとする課題】
【０００９】
本発明は、上記問題点を解消するためになされたものであり、筐体の入力端子が配された部位近傍の空間が大きくされることにより、入力端子の周囲に大きな空間が確保され、入力端子に同軸ケーブルを接続する作業を支障なく容易に行うことができる、作業性を向上させたテレビコンセントを提供することを目的とする。
【課題を解決するための手段】
【００１０】
上記目的を達成するため請求項１の発明は、筐体前面から露出されるように設けられた第１のテレビ端子及び第２のテレビ端子と、筐体外部に露出するように筐体の背面側に配され、同軸ケーブルと接続される入力端子とが筐体に形成され、筐体内部に収納され、前記入力端子に接続されて前記同軸ケーブルを経由して送られる信号を２分配する２分配回路を有する２分配回路基板と、前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備えたテレビコンセントにおいて、前記第１の切り替えスイッチ及び第２の切り替えスイッチは、共に前記第１のテレビ端子又は第２のテレビ端子のいずれか一方の近傍に配置されており、前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形されたテレビコンセントにおいて、前記入力端子は、前記筐体の幅方向の寸法が狭くなるように成形されることにより生じた空間の近傍に配されており、前記筐体の端部のうち、前記入力端子が配された部位近傍の空間に露出する部分を切り落として形成したことを特徴とするものである。
【００１１】
請求項２の発明は、請求項１の発明において、筐体の前記切り落として空いた部分を、平面状板で塞いだものである。
【００１２】
請求項３の発明は、請求項１または２の発明において、前記切り落として形成した筐体の端部を、Ｒ面に面取りしたものである。
【発明の効果】
【００１３】
請求項１の発明によれば、筐体の端部のうち、入力端子が配された部位近傍の空間に露出する部分にテーパ部が形成されているので、入力端子の周囲に大きな空間が確保される。これにより、入力端子に同軸ケーブルを接続する際、通信事業者側の作業者や工具等と筐体とが干渉する危険性が減り、接続作業を容易に、支障なく行いやすい。
【００１４】
請求項２の発明によれば、筐体の切り落として空いた部分を、平面状板で塞いだので、外部から粉塵が舞い込むこともなく、壁裏に設置される同装置としては、動作不具合の危険性を低減できる。
【００１５】
請求項３の発明によれば、切り落として形成した筐体の端部を、Ｒ面に面取りしたので、入力端子の周囲の空間がさらに広くなり、同軸ケーブルの接続作業をより容易に行うことが可能となり、作業性を向上させることが可能となる。
【発明を実施するための最良の形態】
【００１６】
以下、本発明の一実施形態について図面を参照して説明する。図１（ａ）、（ｂ）、及び図２は、本実施形態に係るテレビコンセントを示す。このテレビコンセント１の筐体１０の上部及び下部には、筐体１０の前面から露出されるように、それぞれ第１のテレビ端子２ａ及び第２のテレビ端子２ｂが設けられている。筐体１０の背面側には、筐体１０の外部に露出するように、同軸ケーブル（図示せず）と接続される入力端子２ｃが設けられている。第１のテレビ端子２ａ、第２のテレビ端子２ｂ、及び入力端子２ｃは、例えばＦ型コネクタの端子である。筐体１０の前面の第２のテレビ端子２ｂの近傍には、２つの操作孔３ａ，３ｂが設けられている。この操作孔３ａ，３ｂを通して筐体１０の外部から操作可能となるように、筐体１０の内部に、第１の切り替えスイッチ（以下、第１のスイッチと称する）４ａ、第２の切り替えスイッチ（以下、第２のスイッチと称する）４ｂがそれぞれ設けられている。筐体１０の内部には、入力端子２ｃと接続され、同軸ケーブルを経由して送られる信号を２分配する２分配回路基板５と、２分配された信号を第１のテレビ端子２ａ及び第２のテレビ端子２ｂに伝送するフィルタ回路基板６とが収納されている。このテレビコンセント１は、入力端子２ｃに同軸ケーブルが接続された状態で、例えば室内の壁面等に取り付けられて用いられる。
【００１７】
筐体１０は、例えばダイキャスト等、金属により成形される。本実施形態において、図１（ｂ）に示すように、筐体１０の上部は、前面から背面までの奥行きが他の部分より大きく、他の部分よりも後方に出っ張った形状とされている。入力端子２ｃは、この出っ張った部分から下方向に突出するように、筐体１０の側面の近傍に設けられている。筐体１０の上面と、筐体１０の背面のうち後方に出っ張っていない部分とは、外部に解放された開口部とされている。それぞれの開口部は、封止板１０ａ，１０ｂで覆われている。
【００１８】
本実施形態において、図１（ａ）に示すように、筐体１０の第１のテレビ端子２ａと操作孔３ａ，３ｂとの間の部位は、幅方向の寸法が狭くなるように成形されており、その部位の左右両側は空間１１となっている。そして、図１（ａ）及び図２に示すように、筐体１０の、空間１１の下方に面する部位は、筐体１０の側面が上方にいくほどすぼむ形状のテーパ部１２となっている。すなわち、この筐体１０の端部のうち、入力端子２ｃが配された部位の近傍の空間１１に露出する部分は、この空間１１が広くとれるように切り落とされて平面状板で塞がれており、テーパ部１２が形成されている。これにより、入力端子２ｃの周囲は広い空間が確保された状態となっており、また、外部から筐体１０内に粉塵等が舞い込み、テレビコンセント１の動作不具合が引き起こされるのを防いでいる。
【００１９】
操作孔３ａは、図１（ａ）に示すように、操作孔３ｂよりも第１のテレビ端子２ａに近い位置に配置され、操作孔３ｂは、操作孔３ａよりも第２のテレビ端子２ｂに近い位置に配置されている。すなわち、第１のスイッチ４ａ及び第２のスイッチ４ｂは、共に第２のテレビ端子２ｂの近傍に設けられており、第１のスイッチ４ａは、第２のスイッチ４ｂよりも第１のテレビ端子２ａに近い位置に配置され、第２のスイッチ４ｂは、第１のスイッチ４ａよりも第２のテレビ端子２ｂに近い位置に配置されている。第１のスイッチ４ａ及び第２のスイッチ４ｂは、例えばスライド型のスイッチであり、本実施形態においては、操作孔３ａ，３ｂを通して上下方向に切り替えることができるように配されている。
【００２０】
２分配回路基板５は２分配回路（図示せず）を有しており、この２分配回路により、同軸ケーブルを経由して入力端子２ｃから入力された信号を２分配する。
【００２１】
図３（ａ）、（ｂ）は、フィルタ回路基板６を示す。フィルタ回路基板６は、図１（ｂ）に示すように、筐体１０の内部に、筐体１０の前面と平行に収納される。本実施形態において、上述のように、筐体１０にはテーパ部１２が設けられているが、フィルタ回路基板６は筐体１０の内部形状に対応しテーパ部１２にあわせて角形状を落とした形状とされており、筐体１０の内部に収納可能とされている。このフィルタ回路基板６は、第一の経路７ａ及び第二の経路７ｂと、これらの経路７ａ，７ｂそれぞれ個別に挿入可能に設けられるフィルタ８と、上述の第１のスイッチ４ａ及び第２のスイッチ４ｂにそれぞれ接続されるスイッチ接続部４１ａ，４１ｂを有している。第１のテレビ端子２ａ及び第２のテレビ端子２ｂと、２分配回路基板上の２分配回路は、このフィルタ回路基板６に接続されている。経路７ａ，７ｂは、この第１のテレビ端子２ａ及び第２のテレビ端子２ｂと、２分配回路基板５の２分配回路とを、信号を伝送可能にそれぞれ接続している。スイッチ接続部４１ａ，４１ｂは、それぞれ個別に経路７ａ，７ｂの途中に配されており、スイッチ４ａ，４ｂが切り替わると、フィルタ８が経路７ａ，７ｂに挿入されるかどうかが切り替わるように構成されている。
【００２２】
ここで、従来のテレビコンセント８１のフィルタ回路基板８６を示す図５と本実施形態のテレビコンセント１のフィルタ回路基板６を示す図３（ａ）とを比較してわかるように、フィルタ回路基板６の、筐体１０にテーパ部１２が設けられていることでカットされた部分は、従来から回路等が設けられていない部分である。このため、上述のように、筐体１０の内部形状に対応させるために、フィルタ回路基板６の形状が従来と比べて面積が小さくなっても問題は発生しない。
【００２３】
フィルタ８は、ＣＡＴＶ用の信号のうち、加入者（ユーザ）側からＣＡＴＶ局側に向かう上り方向に対応する周波数帯域の成分を除去する帯域阻止フィルタである。フィルタ８は、経路７ａ，７ｂにそれぞれ挿入されたとき、この第一、第二の経路７ａ，７ｂを伝送されるＣＡＴＶ用の信号のうち、第１のテレビ端子２ａ及び第２のテレビ端子２ｂから入力端子２ｃに向かう上り方向に対応する周波数帯域の信号をカットする。このため、第一、第二の経路７ａ，７ｂは、入力端子２ｃから第１のテレビ端子２ａ及び第２のテレビ端子２ｂに向かう下り方向に対応する周波数帯域の信号のみを通過可能な片方向通信用の経路となる。フィルタ８が第一、第二の経路７ａ，７ｂに挿入されていないときには、第一、第二の経路７ａ，７ｂは双方向通信用の経路となる。すなわち、上述のように、第１のスイッチ４ａ又は第２のスイッチ４ｂが切り替わり、フィルタ８がそれぞれ第一、第二の経路７ａ，７ｂに挿入されるかどうかが切り替わると、第１のテレビ端子２ａ、第２のテレビ端子２ｂについて、双方向通信用か片方向通信用かの設定が切り替わる。なお、本実施形態においては、第１のテレビ端子２ａと第２のテレビ端子２ｂとのそれぞれについての双方向通信と片方向通信との切り替え作業は、筐体１０の外部から第１のスイッチ４ａ又は第２のスイッチ４ｂの双方向／片方向の設定を切り替えることにより行われる。この作業は、テレビコンセント１が壁面等に設置されている状態で行うことができる。
【００２４】
本実施形態においては、上述したように、筐体１０の端部のうち、入力端子２ｃが配された部位近傍の空間１１に露出する部分が、この空間１１の体積が大きくなるようなテーパ部１２を有する形状に形成されており、入力端子２ｃの周囲に大きな空間が確保される。これにより、テレビコンセント１の設置作業時等に、入力端子２ｃに同軸ケーブルを接続する際、通信事業者側の作業者や工具等と筐体１０とが干渉することがなくなり、接続作業を容易に、支障なく行うことが可能となり、作業性が向上する。
【００２５】
なお、本発明は上記実施形態の構成に限定されるものではなく、発明の趣旨を変更しない範囲で適宜に種々の変形が可能である。例えば、このテレビコンセント１は、筐体１０の空間１１に露出した部分の角部が、上述のようなテーパ部１２のような平面ではなく、Ｒ面に面取りされた形状であってもよく、上述と同様に作業性を向上させることが可能となる。また、このテレビコンセント１は、筐体１０に、入力端子２ｃの他に、入力端子２ｃと左右対称な位置に送り配線用の出力端子が設けられているようなものであってもよい。このときにも、筐体１０に、入力端子２ｃの下方に設けられているテーパ部１２と左右対称にテーパ部１２を設けることにより、入力端子２ｃ及び出力端子それぞれに同軸ケーブルを接続する際の作業性を向上させることが可能となる。
【図面の簡単な説明】
【００２６】
【図１】（ａ）は本発明の一実施形態に係るテレビコンセントを示す正面図、（ｂ）は同テレビコンセントの側断面図。
【図２】同上テレビコンセントを示す斜視図。
【図３】（ａ）は同上テレビコンセントのフィルタ回路基板を示す正面図、（ｂ）は同フィルタ回路基板を示す背面図。
【図４】（ａ）は従来のテレビコンセントの一例を示す正面図、（ｂ）は同テレビコンセントを示す側面図、（ｃ）は同テレビコンセントを示す斜視図。
【図５】同上テレビコンセントのフィルタ回路基板を示す平面図。
【図６】（ａ）は同上テレビコンセントにカバーを配したときの正面図、（ｂ）は同テレビコンセントを壁面に設置したときを示す図。
【符号の説明】
【００２７】
１  テレビコンセント
２ａ  第１のテレビ端子
２ｂ  第２のテレビ端子
２ｃ  入力端子
４ａ  第１の切り替えスイッチ
４ｂ  第２の切り替えスイッチ
５  ２分割回路基板
６  フィルタ回路基板
７ａ  第一の経路
７ｂ  第二の経路
８  フィルタ
１０  筐体
１１  空間
１２  テーパ部
【図１】
2007012472.tif 000003
【図２】
2007012472.tif 000004
【図３】
2007012472.tif 000005
【図４】
2007012472.tif 000006
【図５】
2007012472.tif 000007
【図６】
2007012472.tif 000008